(57)【要約】【課題】  本発明は魚釣用リールに係り、リール全体の小型化を図りつつ、棚取り後に於ける釣糸の繰出しを認識可能とした魚釣用リールを提供することを目的とする。【解決手段】  糸長計測手段と、スプールを釣糸巻き取り状態とスプールフリー状態に切り換えるクラッチ機構と、スプールに制動力を付与する制動力付与手段と、糸長計測に基づき釣糸の繰出し速度を計測する繰出し速度計測手段と、クラッチ機構のクラッチＯＮ状態及びクラッチＯＦＦ状態の判定条件とアタリ判定条件を記憶する記憶手段と、判定条件と各計測手段の計測値を基にクラッチ機構のクラッチＯＮ／ＯＦＦ状態を判定するクラッチＯＮ／ＯＦＦ判定手段と、報知信号を出力する報知手段と、報知手段を作動させるアタリ判定手段とを備え、アタリ判定手段は、クラッチＯＮ／ＯＦＦ判定手段によるクラッチＯＮ状態判定後、アタリ判定条件を満たしたと判定したとき報知手段を作動させる。【選択図】    図３
2009261333.tif 000002
【特許請求の範囲】
【請求項１】
スプールに巻回された釣糸の繰出し及び巻取りで回転する回転体の回転数検出に基づき糸長を計測して該糸長を表示する糸長計測手段と、
前記スプールを釣糸巻き取り状態とスプールフリー状態に切り換えるクラッチ機構と、
前記スプールに制動力を付与する制動力付与手段と、
前記糸長計測に基づき釣糸の繰出し速度を計測する繰出し速度計測手段と、
前記クラッチ機構のクラッチＯＮ状態及びクラッチＯＦＦ状態の判定条件とアタリ判定条件を記憶する記憶手段と、
前記判定条件と前記各計測手段の計測値を基に、クラッチ機構のクラッチＯＮ状態とクラッチＯＦＦ状態を判定するクラッチＯＮ／ＯＦＦ判定手段と、
報知信号を出力する報知手段と、
前記報知手段を作動させるアタリ判定手段とを備え、
前記アタリ判定手段は、前記クラッチＯＮ／ＯＦＦ判定手段によるクラッチＯＮ状態判定後、前記アタリ判定条件を満たしたと判定したとき、前記報知手段を作動させることを特徴とする魚釣用リール。
【請求項２】
前記クラッチＯＦＦ状態の判定条件は、前記繰出し速度計測手段によるスプールの所定時間の略停止と所定値以上の繰出し速度の検出で、前記クラッチＯＮ状態の判定条件は、クラッチＯＦＦ状態判定後の前記糸長計測手段による糸長の増加停止の検出であることを特徴とする請求項１に記載の魚釣用リール。
【請求項３】
前記アタリ判定条件は、クラッチＯＦＦ状態時の釣糸の繰出し速度より遅い前記繰出し速度計測手段による釣糸繰出し速度の検出であることを特徴とする請求項１または請求項２に記載の魚釣用リール。
【発明の詳細な説明】
【技術分野】
【０００１】
本発明は魚釣用リールに係り、詳しくは棚取り後に於ける釣糸の繰出しを確認可能とした魚釣用リールに関する。
【背景技術】
【０００２】
従来、魚釣用リールは、リール本体にスプールが回転自在に支持されており、該スプールは、リール本体に装着したハンドルの回転操作やスプール駆動モータの駆動で回転して釣糸が巻回され、釣糸を所定のポイントに繰り出す際には、スプールと動力伝達機構との連結をＯＮ／ＯＦＦするクラッチ機構の切り換え操作（クラッチＯＦＦ操作）で、スプールを巻取り駆動状態（クラッチ機構のクラッチＯＮ状態）からスプールフリー状態（クラッチ機構のクラッチＯＦＦ状態）に切り換えて釣糸が繰り出されるようになっている。
【０００３】
また、釣果の向上を図るため、近年、多くの魚釣用リールには、糸長（釣糸の繰出し量や巻取り量）を計測表示する糸長計測装置が備えられている。この糸長計測装置は、スプールの回転数と回転方向を検出する回転検出装置と、該回転検出装置の検出値を基に糸長を演算計測して計測値を表示器に表示させる制御手段（マイクロコンピュータ）等の電装部品とで構成されており、斯かる糸長計測装置によって棚取りを容易に行うことが可能となっている。
【０００４】
そして、特許文献１には、前記糸長計測装置を備えた魚釣用リールに改良を加え、棚取り後の魚のヒットによる釣糸の繰出しを報知可能とした魚釣用リールが開示されている。
【０００５】
この魚釣用リールは、クラッチ機構のクラッチレバーや摺動板等に装着したマグネットと、これに対向してリール側枠側に装着したリードスイッチとからなる検出手段（センサ部）にてスプールの巻取り駆動状態を判別し、この巻取り駆動状態時に魚のヒットで釣糸が繰り出されてスプールが所定回転すると、報知ブザーを鳴らして釣人に魚がかかったことを報知するようにしたものである。
【特許文献１】特許第２８０９４４４号公報
【発明の開示】
【発明が解決しようとする課題】
【０００６】
しかし、前記魚釣用リールは、スプールの巻取り駆動状態とスプールフリー状態を検出するマグネットやリードスイッチ等の検出手段を必要とするため、該検出手段の防水対策が必要不可欠となる。
【０００７】
このため、前記検出手段の防水を図るケースが必要となってコストがかかると共に、該ケースの設置スペースが必要となってリール全体が大型化してしまう欠点があった。
【０００８】
本発明は斯かる実情に鑑み案出されたもので、リール全体の小型化を図りつつ、棚取り後に於ける釣糸の繰出しを認識可能とした魚釣用リールを提供することを目的とする。
【課題を解決するための手段】
【０００９】
斯かる目的を達成するため、請求項１に係る発明は、スプールに巻回された釣糸の繰出し及び巻取りで回転する回転体の回転数検出に基づき糸長を計測して該糸長を表示する糸長計測手段と、前記スプールを釣糸巻き取り状態とスプールフリー状態に切り換えるクラッチ機構と、前記スプールに制動力を付与する制動力付与手段と、前記糸長計測に基づき釣糸の繰出し速度を計測する繰出し速度計測手段と、前記クラッチ機構のクラッチＯＮ状態及びクラッチＯＦＦ状態の判定条件とアタリ判定条件を記憶する記憶手段と、前記判定条件と前記各計測手段の計測値を基に、クラッチ機構のクラッチＯＮ状態とクラッチＯＦＦ状態を判定するクラッチＯＮ／ＯＦＦ判定手段と、報知信号を出力する報知手段と、前記報知手段を作動させるアタリ判定手段とを備え、前記アタリ判定手段は、前記クラッチＯＮ／ＯＦＦ判定手段によるクラッチＯＮ状態判定後、前記アタリ判定条件を満たしたと判定したとき、前記報知手段を作動させることを特徴とする。
【００１０】
そして、請求項２に係る発明は、請求項１に記載の魚釣用リールに於て、前記クラッチＯＦＦ状態の判定条件は、前記繰出し速度計測手段によるスプールの所定時間の略停止と所定値以上の繰出し速度の検出で、前記クラッチＯＮ状態の判定条件は、クラッチＯＦＦ状態判定後の前記糸長計測手段による糸長の増加停止の検出であることを特徴とし、請求項３に係る発明は、請求項１または請求項２に記載の魚釣用リールに於て、前記アタリ判定条件は、クラッチＯＦＦ状態時の釣糸の繰出し速度より遅い前記繰出し速度計測手段による釣糸繰出し速度の検出であることを特徴とする。
【発明の効果】
【００１１】
各請求項に係る発明によれば、クラッチ機構のクラッチＯＮ状態を検出する機械的な検出手段（センサ部）がなくともアタリ報知が可能となるので、従来に比し安価であると共に、該検出手段の設置が不要となってリール全体の小型化が可能となる利点を有する。
【発明を実施するための最良の形態】
【００１２】
以下、本発明の実施形態を図面に基づいて詳細に説明する。
【００１３】
図１は請求項１乃至請求項３に係る発明を魚釣用電動リール（以下、「電動リール」という）に適用した一実施形態を示し、図１に於て、１はフレーム、３，５は該フレーム１の左右に取り付く側板で、フレーム１と両側板３，５によって電動リール７のリール本体９が構成されている。そして、両側板３，５間に軸受を介してスプール軸が支持され、該スプール軸にスプール１１が回転可能に支持されている。
【００１４】
スプール１１は、スプール駆動モータ（図２中、符号１３）の駆動やハンドル１５の巻取り操作で回転して釣糸が巻回されるようになっており、スプール駆動モータ１３はスプール１１前方のフレーム１に一体成形されたモータケース内に収納されている。
【００１５】
そして、ハンドル１５側の側板５の側部前方に突設された筒状部１７に、特許第２９７７９７８号公報で開示された電動リールと同様、スプール駆動モータ１３のモータ出力を調節するレバー形状のモータ出力調節体（以下、「パワーレバー」という）１９が、リール本体９の前後方向へ所定の角度に亘って回転操作可能に取り付けられている。
【００１６】
パワーレバー１９は、筒状部１７に内蔵されたポテンショメータ（図２中、符号２１）に連結され、パワーレバー１９の回転操作によるポテンショメータ２１の抵抗値の変化が、リール本体９上部の制御ボックス２３内に装着したマイクロコンピュータ（図２中、符号２５）に入力されている。そして、マイクロコンピュータ２５のＣＰＵは、パワーレバー１９の操作量に応じたパルス信号のデューティ比としてスプール駆動モータ１３への駆動電流通電時間率を可変制御して、スプール駆動モータ１３のモータ出力をモータ停止状態から高出力値まで連続的に増減調節するようになっている。
【００１７】
一方、図１に示すように側板５の側部後方には、側板５内に装着された周知のクラッチ機構を操作するクラッチレバー２７が回転操作可能に取り付けられており、該クラッチレバー２７の回転操作で、クラッチ機構がクラッチＯＮ状態からクラッチＯＦＦ状態に切り換わるようになっている。
【００１８】
そして、このクラッチＯＦＦ状態でハンドル１５を巻取り方向へ回転させると、周知の復帰機構を介してクラッチ機構がクラッチＯＮ状態に復帰するように構成されており、このクラッチ機構のクラッチＯＮ／ＯＦＦの切換えでスプール１１が巻取り可能状態とスプールフリー状態とに切り換わって、スプール１１へのスプール駆動モータ１３やハンドル１５の動力が伝達／遮断されるようになっている。
【００１９】
また、図１中、２９はスプール１１の回転数とその回転方向を検出する回転検出手段で、該回転検出手段２９は、フレーム１に装着された一対のホール素子やリードスイッチからなる磁気センサ３１と、これらに対向してスプール１１の一端側に固着されたマグネット３３とで構成されており、図２に示すように磁気センサ３１はマイクロコンピュータ２５に接続されている。そして、マイクロコンピュータ２５のＣＰＵは、磁気センサ３１から出力される回転パルス信号を取り込むことで、内蔵のアップ・ダウンカウンタをアップカウントまたはダウンカウント状態にセットして、取り込まれるスプール１１の回転パルス信号をカウントするようになっている。
【００２０】
而して、マイクロコンピュータ２５のＲＯＭ（記憶手段）には、特開平５−１０３５６７号公報で開示された電動リールと同様の糸長計測プログラムが組み込まれており、ＣＰＵは、スプール１１の回転パルス信号の計数値を基に釣糸の糸長を演算，計測して、糸長計測値を制御ボックス２３の操作パネル３５上に設けた表示器３７に表示させるようになっている。そして、該表示器３７に近接してハンドル１５側の操作パネル３５上に、押しボタン式のリセットスイッチ３９と棚メモスイッチ４１が上下に配設されており、図２に示すようにこれらはマイクロコンピュータ２５に接続されている。
【００２１】
棚メモスイッチ４１は棚取りに使用するもので、既述したようにＣＰＵは磁気センサ３１からの回転パルス信号を基に糸長を演算，計測して、糸長計測値を表示器３７内の上カラ表示部に表示させるが、釣りの開始時に釣糸を竿先から水面まで繰り出した処で釣人がリセットスイッチ３９を操作すると、上カラ表示部の表示値が「０．０」にリセットされるようになっている。
【００２２】
この後、釣人が釣糸を繰り出していくと、ＣＰＵで演算，計測された糸長が上カラ表示部に表示され、釣糸が例えば９５．５ｍ繰り出された処で釣人が棚メモスイッチ４１を操作すると、表示器３７内の棚カラ表示部に「０．０」が表示されて棚位置が設定され、以後、棚位置からの釣糸の巻取りに伴う仕掛けの距離と水面からの繰出し量が、夫々、棚カラ表示部と上カラ表示部に表示されるようになっている。
【００２３】
その他、図１中、４３は前記ハンドル１５のハンドル軸に装着したドラグ力調節レバーを示し、従来と同様、該ドラグ力調節レバー４５の操作で、スプール１１に制動力を付与する周知のドラグ機構（制動力付与手段）のドラグ力が調節できるようになっている。
【００２４】
そして、本実施形態に係る電動リール７も、既述した構成に加え、リール本体９にアラーム（報知手段）４５を装着し、特許文献１に開示された電動リールと同様、棚取り後に魚のアタリがあって釣糸が繰り出されると、前記アラーム４５が作動して釣糸の繰出しを釣人に報知するように構成されているが、本実施形態は特許文献１の検出手段（センサ部）に代え、以下の如き特徴を有している。
【００２５】
既述したように電動リール７は、クラッチレバー２７の切換え操作でクラッチ機構がクラッチＯＮ状態からクラッチＯＦＦ状態へ切り換わり、クラッチＯＦＦ状態でハンドル１５を巻取り方向へ回転させるとクラッチ機構がクラッチＯＮ状態に復帰するが、クラッチ機構がクラッチＯＮ状態にあるかクラッチＯＦＦ状態にあるかをＣＰＵがソフト的に判定するため、マイクロコンピュータ２５のＲＯＭに、一例として以下の２つの判定条件が予め設定，記憶されている。
【００２６】
「クラッチＯＦＦ状態の判定条件」
糸長（水深）が５ｍ未満（船縁に仕掛けがある）
且つ
スプール１１の所定時間（１秒）の停止、または所定時間（１秒）に０．１ｍで釣糸がゆっくり繰り出されているスプール１１の略停止とみなす状態（０〜０．１ｍ／ｓ）
且つ
釣糸の繰出し速度が０．５ｍ／ｓ以上
「クラッチＯＮ状態の判定条件」
糸長の増加停止
即ち、既述したようにマイクロコンピュータ２５のＣＰＵは、磁気センサ３１から出力される回転パルス信号を基に糸長を演算，計測するが、電動リール７の給電接続部に給電コードが接続されると、ＣＰＵは、マイクロコンピュータに内蔵したタイマと前記糸長から単位時間当たりの釣糸の繰出し速度を求めて、前記「クラッチＯＦＦ状態の判定条件」を満たしているか否かを常時監視する。
【００２７】
そして、図３に示すようにステップＳ１で糸長（水深）が５ｍ未満であることを検出し、ステップＳ２でスプール１１の所定時間（１秒）の略停止、つまり所定時間（１秒）での釣糸の繰出し速度０〜０．１ｍ／ｓを検出した後、釣糸の繰出し速度が０．５ｍ／ｓ以上になると（ステップＳ３）、ＣＰＵは、クラッチ機構がクラッチＯＦＦ状態になって釣糸が繰り出されていると判定するようになっている。
【００２８】
この間も、ＣＰＵは糸長を演算，計測して表示器３７に表示させるが、例えば釣糸を１００ｍ繰り出した処で釣人がハンドル１５を巻取り方向へ回転させてクラッチ機構をクラッチＯＮ状態に復帰させると、釣糸の繰出しは停止し、これによって表示器３５（上カラ表示部）に表示されていた表示値の増加が停止する（ステップＳ４）。
【００２９】
すると、ＣＰＵは、クラッチ機構がクラッチＯＮ状態に切り換わったと判定するようになっており、この段階に於て、既述したように棚メモスイッチ４１の操作で棚取りが行われる（ステップＳ５）。
【００３０】
尚、ステップＳ１で、船縁に仕掛けがなく糸長（水深）が５ｍ以上あると判定したときは、既にクラッチ機構がクラッチＯＦＦ状態にあって釣糸が繰り出されていると判定して、直ちにステップＳ４に移行するようになっている。
【００３１】
更に、マイクロコンピュータ２５のＲＯＭには、魚のアタリによる釣糸の繰出しを判定する条件として、
「アタリ判定条件」
クラッチＯＦＦ状態時の釣糸の繰出し速度より遅い釣糸繰出し速度の検出
が設定，記憶されている。
【００３２】
即ち、魚のアタリがあって釣糸が繰り出される場合、ドラグ機構によってスプール１１に制動力が付与されているため、釣糸の繰出し速度（Ｂ）はクラッチＯＦＦ状態での繰出し速度（Ａ）より遅くなる。このため、ＣＰＵは、棚取り後、ステップＳ６に於て、先のクラッチＯＦＦ状態で検出した釣糸の繰出し速度（Ａ）よりも遅い釣糸繰出し速度（Ｂ）を検出すると（Ａ＞Ｂ）、魚のアタリがあったと判定してアラーム４５を例えば０．１ｍ毎に作動させるようになっている（ステップＳ７）。尚、アラーム４５は、所定の釣糸繰出し（例えば１０ｍ）で停止されるように設定してもよい。
【００３３】
そして、釣糸が巻取り操作をして糸長値が減少すると、ＣＰＵは釣糸が巻き取られていると判断してアラーム４５を停止し、この後、ステップＳ１に戻り、また、図３に示すように前記ステップＳ２〜４，ステップＳ６で夫々「ＮＯ」と判定された場合、ＣＰＵはステップＳ１に戻るようになっている。
【００３４】
このように、マイクロコンピュータ２５のＣＰＵは、糸長計測手段，繰出し速度計測手段，クラッチＯＮ／ＯＦＦ判定手段，アタリ判定手段として機能する。
【００３５】
本実施形態はこのように構成されているから、クラッチレバー２７の切換え操作でクラッチ機構がクラッチＯＮ状態からクラッチＯＦＦ状態へ切り換わり、クラッチＯＦＦ状態でハンドル１５を巻取り方向へ回転させるとクラッチ機構がクラッチＯＮ状態に復帰する。
そして、ＣＰＵは、磁気センサ３１から出力される回転パルス信号を基に糸長を演算，計測して表示器３７に表示させるが、給電接続部に給電コードが接続されると、ＣＰＵは糸長から単位時間当たりの釣糸の繰出し速度を求めて、「クラッチＯＦＦ状態の判定条件」を満たしているか否かを監視する。
【００３６】
そして、図３に示すように糸長（水深）が５ｍ未満であることを検出し（ステップＳ１）、ステップＳ２でスプール１１の所定時間（１秒）の略停止、つまり所定時間（１秒）での釣糸の繰出し速度０〜０．１ｍ／ｓを検出した後、ステップＳ３に於て０．５ｍ／ｓ以上の繰出し速度を検出すると、ＣＰＵはクラッチ機構がクラッチＯＦＦ状態になって釣糸が繰り出されていると判定する。
【００３７】
而して、この後もＣＰＵは糸長を演算，計測して表示器３７に表示させているが、例えば釣糸を１００ｍ繰り出した処で釣人がクラッチ機構をクラッチＯＮ状態に復帰させると、釣糸の繰出しが停止し、これによって表示器３５（上カラ表示部）に表示されていた表示値の増加が停止するので（ステップＳ４）、ＣＰＵは、クラッチ機構がクラッチＯＮ状態に切り換わったと判定する。
【００３８】
また、既述したようにＣＰＵは、ステップＳ１で船縁に仕掛けがなく糸長（水深）が５ｍ以上あると判定したとき、既にクラッチ機構がクラッチＯＦＦ状態にあって釣糸が繰り出されていると判定して直ちにステップＳ４に移行する。
【００３９】
そして、この段階で釣人は棚メモスイッチ４１を操作して棚取りを行うが（ステップＳ５）、棚取り後、ステップＳ６に於て、先のクラッチＯＦＦ状態で検出した釣糸の繰出し速度（Ａ）よりも遅い釣糸繰出し速度（Ｂ）を検出すると（Ａ＞Ｂ）、ＣＰＵはアラーム４５を０．１ｍ毎に作動させて釣人に釣糸の繰出しを報知し（ステップＳ７）、アラームを聞いた釣人は魚のアタリを認識することとなる。
【００４０】
この後、釣糸が巻取り操作をして糸長値が減少すると、ＣＰＵは釣糸が巻き取られていると判断してアラーム４５を停止し、この後、ステップＳ１に戻り、また、図３に示すようにステップＳ２〜４，ステップＳ６で夫々「ＮＯ」と判定された場合、ＣＰＵはステップＳ１に戻って既述した動作を繰り返すこととなる。
【００４１】
このように本実施形態によれば、クラッチ機構のクラッチＯＮ状態を検出する特許文献１に開示された機械的な検出手段（センサ部）がなくともアタリ報知が可能となるので、特許文献１の従来例に比し安価であると共に、該検出手段（センサ部）の設置が不要となってリール全体の小型化が可能となる利点を有する。
【００４２】
尚、報知手段はアラームに限定されず、その他、種々のものが使用できることは勿論、本発明は電動リールに限定されるものでない。
【００４３】
また、「クラッチＯＦＦ状態の判定条件」，「クラッチＯＮ状態の判定条件」及び「アタリ判定条件」も、魚釣用リールの仕様に応じ種々設定可能である。
【図面の簡単な説明】
【００４４】
【図１】請求項１乃至請求項３に係る発明を適用した電動リールの一実施形態の平面図である。
【図２】電動リールの制御ブロック図である。
【図３】電動リールの動作フローチャートである。
【符号の説明】
【００４５】
１  フレーム
３，５  側板
７  電動リール
９  リール本体
１１  スプール
１３  スプール駆動モータ
１５  ハンドル
２５  マイクロコンピュータ
２７  クラッチレバー
２９  回転検出手段
３７  表示器
３９  リセットスイッチ
４１  棚メモスイッチ
４３  ドラグ力調節レバー
４５  アラーム
【図１】
2009261333.tif 000003
【図２】
2009261333.tif 000004
【図３】
2009261333.tif 000005